(57)【要約】      （修正有）【課題】小さな空間で流れ作業が可能な作業台を提供する。【解決手段】上下に空間を設けて二段に作業台２及び３を設置し、上下夫々の作業台２及び３には作業者用空間４及び５を設け、且つ下部作業台３には、作業者用空間５の両側に部品載置部６及び７を設けたものを部品組立作業台として使用すること。【選択図】図１
0003111392.tif 000002
【実用新案登録請求の範囲】
【請求項１】
各種部品の組立に使用される作業台（１）であって、上下に空間を設けて二段に作業台（２）及び（３）を設置し、上下夫々の作業台（２）及び（３）には作業者用空間（４）及び（５）を設け、且つ下部作業台（３）には、作業者用空間（５）の両側に部品載置部（６）及び（７）を設けたことを特徴とする部品組立用二段作業台
【請求項２】
上下の二段の作業台（２）及び（３）の間の高さが２００〜３００ｍｍ程度の間で調整出来るものである請求項１の作業台
【請求項３】
上部作業台（２）は移動して、作業台（３）上の所望場所に調整出来るものである請求項１又は２の作業台
【請求項４】
下部作業台（３）は前後に移動して設置場所を調整出来るものである請求項１〜３のいずれかの作業台
【考案の詳細な説明】
【技術分野】
【０００１】
本考案は作業台に関し、更に詳しくは部品就中ミニセル組立に適し、且つ各種異なった作業を簡単に処理しうる二段作業台に関する。
【背景技術】
【０００２】
従来ベルトコンベアーを用いて組立作業を行うことは良く知られており、ベルトコンベヤー上を移動して来る各種部品をベルトコンベヤー側面に位置する作業者が順次組立て作業を行うものである。
【０００３】
このベルトコンベアー式の流れ作業台では、かなり大きな設置場所を必要とし、またベルトコンベヤー上の作業中に、１つの作業が遅れたり、何等かの故障が生じると、その後の組立作業に支障を来たし、たとえば手待ちというムダを生じたり、作業が一時的にストップしたりして、うまく流れ作業が出来なくなってしまう大きな難点がある。
【０００４】
これに対し、ベルトコンベヤーに代えて回転する円形の作業台を使用しようとする試みが特開２００１−１９１２２１号に提案されている。
【０００５】
この作業台は回転式作業台ではあるが、その作業台の表面に別途に数多くの副回転作業台を設けるものであり、また作業台の中心部に設けられた副部品収納部は固定されているために、その部品毎に該収納部の内部を分割しなければならず、しかも主部品に副部品を組立てるという限られた数少ない組立を行うためのものであった。
【０００６】
従って簡単な構造でしかも大きな設置場所を必要とせず、手待ちというムダが生じず、１ヶ所で支障が生じても他の作業に悪影響をあたえない作業台が強く要望されている。
【０００７】
この要望に応えるために本考案者はすでに特願２００２−３１３７５１号として、回転作業装置を出願した。この作業台は円形の回転式作業台であり、従来の要望に充分応える優れた作業台である。
【０００８】
更に本考案者は、引き続き研究を続けた結果、回転しなくとも、小さな空間で流れ作業が可能な作業台を開発することに成功した（実願２００４−３６８２）。
【０００９】
この作業台は馬蹄形の形状を有するものであり、更に一段とミニセル組立に好適なものである。
【考案の開示】
【考案が解決しようとする課題】
【００１０】
本考案は、更に引き続く研究に於いて、作業台を二段に設けるという全く新しい着想に基づき、部品就中ミニセル組立を可能とする作業台の開発を目的として鋭意研究を続け、遂に目的を達成しうる作業台の開発に成功した。
【課題を解決するための手段】
【００１１】
この課題は
（イ）上下に空間を設けて二段に作業台（２）及び（３）を設置し、
（ろ）上下夫々の作業台（２）及び（３）には作業者用空間（４）及び（５）を設け
（ハ）且つ下部作業台（３）には作業者用空間（５）の両側に部品載置部（６）及び（７）を設けた
ものを作業台として使用することにより解決される。
【００１２】
以下に本考案の望ましい実施態様について図面を用いて説明する。
図１は本考案の作業台の図面であり、図１はその横方向からの概略図、図２は上部表面図である。
【００１３】
本考案の作業台（１）は、上下に空間を設けて、二段に作業台（２）及び（３）が設けられている。そして下部の作業台（３）には、作業者用空間（５）の両側に部品載置部（６）及び（７）が下部作業台（３）と一体的に設けられた構造を有する。
【００１４】
上部作業台（２）と下部作業台（３）との間の空間は、通常２００〜３００ｍｍ程度の範囲で適宜に調節され、作業者の身長に合致した最も作業のし易い高さとすることが出来る。この高さの調節は脚（８）に設けた調節部（９）たとえばボルトで行うことが出来る。
【００１５】
また上部作業台（２）は下部作業台（３）上で、その位置を適宜に調節することが出来る。
【００１６】
作業台（２）及び（３）の形状は図面では４角形となっているが、これに限定されず、丸形（半円形）や多角形でも良い。但し、上部作業台（２）と下部作業台（３）とは原則として同じ形状のものとする。
【００１７】
下部作業台（３）に設けられる部品載置部（６）及び（７）の形状も何等限定されず、たとえば作業台（２）及び（３）が４角形の場合は、部品載置部（６）及び（７）も４角形で設けられ、縦４００〜５００ｍｍ、横３００〜４００ｍｍ程度の大きさである。
【００１８】
なお下部作業台（３）は、前後に移動せしめることが出来る。
【００１９】
作業者用空間（４）は上下作業台（２）及び（３）いずれにも設けられる。これは作業者の作業がスムーズに行えるために設けられ、通常上下いずれの作業台に対して、同じ大きさの空間として設けられる。その形状や大きさは、作業者が作業し易いもので良く、通常直径４００〜６００ｍｍ程度の半円形が最も好ましいが、これに限定されない。
【００２０】
本考案の作業台（１）はその材質は特に限定されず、木材、金属系材料、合成樹脂等適宜に用いられ、作業台（２）の表面には、滑り止めとしてたとえばゴムが貼付されることがある。
【考案の効果】
【００２１】
本考案の作業台は次の様な効果を発揮する。
（イ）部品就中ミニセルの組立作業に最適である。1人の作業者が上下二段の作業台（２）及び（３）を二段に使用することが出来るので、多くの部品を用いる部品就中ミニセル組立を簡単に1人で行うことが出来る。
（ロ）作業台（３）には部品載置部を設けているので、更に操作がし易くなる。
（ハ）二段になっているので、設置するための空間が極めて少なくてすみ、小さな空間で大量の作業が出来る。
【考案を実施するための最良の形態】
【００２２】
本考案を実施例を示して詳しく説明する。
【実施例１】
【００２３】
図１の二段作業台（１）を木材で製造した。上部作業台（２）及び下部作業台（３）の夫々の厚みは６０ｍｍとし、横は１２００ｍｍ縦は７００ｍｍとした。また部品載置部（６）及び（７）は横３５０ｍｍ、縦４５０ｍｍの長方形とし、作業者用空間（４）及び（５）は半径２５０ｍｍの半円形の形状となした。
【実施例２】
【００２４】
実施例１の二段作業台（２）及び（３）の４角形の形状を半円形とし、その他は同様に処理して、作業台を製作した。
【図面の簡単な説明】
【００２５】
【図１】図１は本考案の作業台の一例を示す説明図である。
【図２】図２は本考案の作業台（１）の表面図である。
【符号の説明】
【００２６】
１：作業台
２：上部作業者
３：下部作業台
４：作業者用空間（上部作業台の）
５：作業者用空間（下部作業台の）
６：部品載置部
７：部品載置部
８：脚
９：高さ調節部
【図１】
0003111392.tif 000003
【図２】
0003111392.tif 000004
【手続補正書】
【提出日】平成17年3月31日(2005.3.31)
【手続補正１】
【補正対象書類名】実用新案登録請求の範囲
【補正対象項目名】請求項１
【補正方法】変更
【補正の内容】
【請求項１】
各種部品の組立に使用される作業台であって、上下に空間を設けて二段に上部作業台と下部作業台を設置し、上下夫々の作業台には作業者用空間を設け、且つ下部作業台には、作業者用空間の両側に夫々部品載置部を設けたことを特徴とする部品組立用二段作業台
【手続補正２】
【補正対象書類名】実用新案登録請求の範囲
【補正対象項目名】請求項２
【補正方法】変更
【補正の内容】
【請求項２】
上下の二段の作業台の間の高さが２００〜３００ｍｍ程度の間で調整出来るものである請求項１の作業台
【手続補正３】
【補正対象書類名】実用新案登録請求の範囲
【補正対象項目名】請求項３
【補正方法】変更
【補正の内容】
【請求項３】
上部作業台は移動して、下部作業台上の所望場所に調整出来るものである請求項１又は２の作業台
【手続補正４】
【補正対象書類名】実用新案登録請求の範囲
【補正対象項目名】請求項４
【補正方法】変更
【補正の内容】
【請求項４】
下部作業台は前後に移動して設置場所を調整出来るものである請求項１〜３のいずれかの作業台